【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
投影装置、及びこの投影装置と通信可能に接続された複数の端末装置で構成される投影システムであって、
前記投影装置は、
データを記憶する第１の記憶手段と、
この第１の記憶手段に記憶されたデータに基づき画像を投影する投影手段と、
前記端末装置から送信されるデータ要求を受信する第１の受信手段と、
この第１の受信手段による前記データ要求の受信に応じて、前記投影手段が投影している画像のデータを前記記憶手段から読み出して送信する第１の送信手段とを備え、
前記端末装置は、
操作に応じて前記データ要求を送信する第２の送信手段と、
前記投影装置から送信された前記データを受信する第２の受信手段と、
この第２の受信手段により受信された前記データを記憶する第２の記憶手段と
を備えることを特徴とする投影システム。
【請求項２】
前記投影装置は、前記第１の送信手段の送信履歴を記憶する送信履歴記憶手段を備えることを特徴とする請求項１記載の投影システム。
【請求項３】
前記送信履歴記憶手段に記憶される送信履歴には、送信した端末を特定する事項、送信したデータを特定する事項、送信した日時情報の少なくとも一つが含まれることを特徴とする請求項２記載の投影システム。
【請求項４】
前記投影装置は、前記第１の送信手段による前記データの送信の可否を決定する可否決定手段を備え、
前記第１の送信手段は、前記可否決定手段により可決された場合に、前記データを送信することを特徴とする請求項１から３にいずれか記載の投影システム。
【請求項５】
前記可否決定手段は、前記データ要求を送信した端末装置を識別する端末識別手段を備え、
前記第１の送信手段は、前記端末識別手段により所定に識別された端末装置に前記データを送信することを特徴とする請求項４記載の投影システム。
【請求項６】
前記第２の送信手段は、当該端末装置に付与された識別データを前記データ要求とともに送信し、
前記第１の受信手段は、前記データ要求とともに前記識別データを受信し、
前記端末識別手段は、前記第１の受信手段により受信された前記識別データに基づき、
前記データ要求を送信した端末装置を識別することを特徴とする請求項５記載の投影システム。
【請求項７】
前記端末識別手段は、
前記端末装置毎に付与された識別データを記憶した識別データ記憶手段と、
この識別データ記憶手段に記憶された識別データと前記第１の受信手段により受信された識別データとを比較する比較手段とを備え、
この比較手段の比較結果に基づき、前記データ要求を送信した端末装置を識別することを特徴とする請求項５又は６記載の投影システム。
【請求項８】
前記第１の送信手段は、前記端末識別手段により識別された端末装置毎に異なる周波数で前記データを送信し、
前記第２の受信手段は、前記第１の送信手段から送信された当該端末装置に設定されている周波数のデータを受信することを特徴とする請求項５、６又は７記載の投影システム。
【請求項９】
前記可否決定手段が、前記第１の送信手段による前記データの送信を否決した場合において、前記第１の送信手段は否決情報を送信し、
前記端末装置は、前記第２の受信手段により前記否決情報を受信するとともに、この受信した否決情報に基づき否決を報知する報知手段を備えることを特徴とする請求項４から８にいずれか記載の投影システム。
【請求項１０】
前記第１の記憶手段に記憶されたデータには、データ毎に送信の可否を示す可否情報が付加され、
前記可否決定手段は、前記データに付加されている可否情報に基づき、前記第１の送信手段による前記データの送信の可否を決定することを特徴とする請求項４から９にいずれか記載の投影システム。
【請求項１１】
投影装置、及びこの投影装置と通信可能に接続された複数の端末装置で構成される投影システムにおける前記投影装置であって、
データを記憶する記憶手段と、
この記憶手段に記憶されたデータに基づき画像を投影する投影手段と、
前記端末装置から送信されるデータ要求を受信する受信手段と、
この受信手段による前記データ要求の受信に応じて、前記投影手段が投影している画像のデータを前記記憶手段から読み出して送信する送信手段と
を備えることを特徴とする投影装置。
【請求項１２】
前記送信手段の送信履歴を記憶する送信履歴記憶手段をさらに備えることを特徴とする請求項１１記載の投影装置。
【手続補正２】
【補正対象書類名】明細書
【補正対象項目名】０００７
【補正方法】変更
【補正の内容】
【０００７】
また、請求項２記載の発明に係る投影システムにあっては、前記投影装置は、前記第１の送信手段の送信履歴を記憶する送信履歴記憶手段を備えることを特徴とする。
また、請求項３記載の発明に係る投影システムにあっては、前記送信履歴記憶手段に記憶される送信履歴には、送信した端末を特定する事項、送信したデータを特定する事項、送信した日時情報の少なくとも一つが含まれることを特徴とする。
また、請求項４記載の発明に係る投影システムにあっては、前記投影装置は、前記第１の送信手段による前記データの送信の可否を決定する可否決定手段を備え、前記第１の送信手段は、前記可否決定手段により可決された場合に、前記データを送信することを特徴とする。
【手続補正３】
【補正対象書類名】明細書
【補正対象項目名】０００８
【補正方法】変更
【補正の内容】
【０００８】
また、請求項５記載の発明に係る投影システムにあっては、前記可否決定手段は、前記データ要求を送信した端末装置を識別する端末識別手段を備え、前記第１の送信手段は、前記端末識別手段により所定に識別された端末装置に前記データを送信することを特徴とする。
【手続補正４】
【補正対象書類名】明細書
【補正対象項目名】０００９
【補正方法】変更
【補正の内容】
【０００９】
また、請求項６記載の発明に係る投影システムにあっては、前記第２の送信手段は、当該端末装置に付与された識別データを前記データ要求とともに送信し、前記第１の受信手段は、前記データ要求とともに前記識別データを受信し、前記端末識別手段は、前記第１の受信手段により受信された前記識別データに基づき、前記データ要求を送信した端末装置を識別することを特徴とする。
【手続補正５】
【補正対象書類名】明細書
【補正対象項目名】００１０
【補正方法】変更
【補正の内容】
【００１０】
また、請求項７記載の発明に係る投影システムにあっては、前記端末識別手段は、前記端末装置毎に付与された識別データを記憶した識別データ記憶手段と、この識別データ記憶手段に記憶された識別データと前記第１の受信手段により受信された識別データとを比較する比較手段とを備え、この比較手段の比較結果に基づき、前記データ要求を送信した端末装置を識別することを特徴とする。
【手続補正６】
【補正対象書類名】明細書
【補正対象項目名】００１１
【補正方法】変更
【補正の内容】
【００１１】
また、請求項８記載の発明に係る投影システムにあっては、前記第１の送信手段は、前記端末識別手段により識別された端末装置毎に異なる周波数で前記データを送信し、前記第２の受信手段は、前記第１の送信手段から送信された当該端末装置に設定されている周波数のデータを受信することを特徴とする。
【手続補正７】
【補正対象書類名】明細書
【補正対象項目名】００１２
【補正方法】変更
【補正の内容】
【００１２】
また、請求項９記載の発明に係る投影システムにあっては、前記可否決定手段が、前記第１の送信手段による前記データの送信を否決した場合において、前記第１の送信手段は否決情報を送信し、前記端末装置は、前記第２の受信手段により前記否決情報を受信するとともに、この受信した否決情報に基づき否決を報知する報知手段を備えることを特徴とする。
【手続補正８】
【補正対象書類名】明細書
【補正対象項目名】００１３
【補正方法】変更
【補正の内容】
【００１３】
また、請求項１０記載の発明に係る投影システムにあっては、前記第１の記憶手段に記憶されたデータには、データ毎に送信の可否を示す可否情報が付加され、前記可否決定手段は、前記データに付加されている可否情報に基づき、前記第１の送信手段による前記データの送信の可否を決定することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また、請求項１１記載の発明に係る投影装置にあっては、投影装置、及びこの投影装置と通信可能に接続された複数の端末装置で構成される投影システムにおける前記投影装置であって、データを記憶する記憶手段と、この記憶手段に記憶されたデータに基づき画像を投影する投影手段と、前記端末装置から送信されるデータ要求を受信する受信手段と、この受信手段による前記データ要求の受信に応じて、前記投影手段が投影している画像のデータを前記記憶手段から読み出して送信する送信手段とを備えることを特徴とする。
また、請求項１２記載の発明に係る投影装置にあっては、前記送信手段の送信履歴を記憶する送信履歴記憶手段をさらに備えることを特徴とする。